(57)【要約】【課題】  部品点数の増加及び大型化を来たすことなく放熱性の向上を図る。【解決手段】  正面側に開口４ａが形成された筐体４と筐体４に開口を閉塞するように取り付けられ画像を表示する表示部５とを有するディスプレイ本体２と、放熱性を有する材料によって形成されディスプレイ本体を保持する保持体３と、熱伝導性を有する材料によって形成され保持体にディスプレイ本体を締結する締結部材１３、１３、・・・と、筐体の内部において表示部の背面側に配置されディスプレイ本体の内部で発生する熱を締結部材及び保持体へ向けて伝導するヒートパイプ１０、１０とを設け、ディスプレイ本体の内部で発生する熱を保持体から放出するようにした。【選択図】        図１
2012129739.tif 000002
【特許請求の範囲】
【請求項１】
正面側に開口が形成された筐体と前記筐体に前記開口を閉塞するように取り付けられ画像を表示する表示部とを有するディスプレイ本体と、
放熱性を有する材料によって形成され前記ディスプレイ本体を保持する保持体と、
熱伝導性を有する材料によって形成され前記保持体に前記ディスプレイ本体を締結する締結部材と、
前記筐体の内部において前記表示部の背面側に配置され前記ディスプレイ本体の内部で発生する熱を前記締結部材及び前記保持体へ向けて伝導するヒートパイプとを備え、
前記ディスプレイ本体の内部で発生する熱を前記保持体から放出するようにした
表示装置。
【請求項２】
前記ディスプレイ本体に熱伝導性を有し前記表示部の背面側に配置されて前記表示部に結合された背面フレームが設けられ、
前記背面フレームに前記ヒートパイプの少なくとも一部が接触又は近接して配置され、
前記締結部材が前記保持体と前記背面フレームに結合されて前記保持体に前記ディスプレイ本体が締結された
請求項１に記載の表示装置。
【請求項３】
前記保持体として壁面に固定されて前記ディスプレイ本体の背面側に配置され前記ディスプレイ本体を壁面に沿って配置するための壁掛け金具を用いた
請求項１に記載の表示装置。
【請求項４】
前記保持体の一部と前記壁面の間に隙間が形成された
請求項３に記載の表示装置。
【請求項５】
前記保持体が複数の保持部材によって構成された
請求項１に記載の表示装置。
【請求項６】
前記ヒートパイプの一部を前記表示部の上端部に沿って配置した
請求項１に記載の表示装置。
【請求項７】
前記ヒートパイプの一部を前記表示部の上側の角部に配置した
請求項１に記載の表示装置。
【発明の詳細な説明】
【技術分野】
【０００１】
本発明は表示装置についての技術分野に関する。詳しくは、ディスプレイ本体の内部で発生する熱を保持体と保持体にディスプレイ本体を保持する締結部材とへ向けて伝導するヒートパイプを設けて部品点数の増加等を来たすことなく放熱性の向上を図る技術分野に関する。
【背景技術】
【０００２】
テレビジョン受像器等の表示装置は筐体と筐体に取り付けられた表示部とを有するディスプレイ本体を備え、筐体の内部には、表示部に対して背面から光を照射するバックライトや表示部を動作させたり各部に電源を供給するための各種の回路基板が配置されている。
【０００３】
これらのバックライトや回路基板は駆動時に発熱するものがあるため、ディスプレイ本体の内部温度が上昇し、内部温度が高くなり過ぎると、回路基板の電子部品の動作不良や画質の低下等を来たすおそれがある。従って、表示装置においては、バックライトや回路基板の駆動時における発熱に伴う内部温度の上昇を抑制する必要がある。
【０００４】
従来の表示装置には、自然対流によって上記のような内部温度の上昇を抑制するようにしたものがある。
【０００５】
自然対流によって内部温度の上昇を抑制する表示装置においては、筐体に複数の放熱孔が形成され、筐体の内部において温度が上昇した空気が放熱孔から外部へ放出されると共に放熱孔から外部の空気が筐体の内部に取り込まれる。
【０００６】
ところが、自然対流によって内部温度の上昇を抑制する場合には、表示装置が強制的な冷却構造を有しないため、内部温度の上昇を十分に抑制することができないと言う不都合がある。
【０００７】
特に、近年、表示装置の薄型化が進展しており、筐体の内部における空気の対流が不十分であると共に放熱孔を形成する面積が少なく、冷却効率が低いと言う問題がある。また、放熱孔の開口面積を増やすために放熱孔を筐体の上面部に形成すると、筐体の内部に塵埃等が侵入し易くなり、動作不良を生じるおそれもある。
【０００８】
別の従来の表示装置には、電動の空冷ファンによって内部温度の上昇を抑制するようにしたものがある。
【０００９】
電動の空冷ファンによって内部温度の上昇を抑制する表示装置においては、筐体に空冷ファンが取り付けられ、空冷ファンによって筐体の内外において強制的に空気の対流が生じる。
【００１０】
ところが、電動の空冷ファンによって内部温度の上昇を抑制する場合には、空冷ファンの駆動時に騒音と振動が生じると言う不具合がある。
【００１１】
また、空冷ファンを用いた場合には空冷ファンの故障を生じるおそれがあるため、故障時に内部温度が急激に上昇し回路基板の電子部品の動作不良を引き起こす可能性がある。そこで、空冷ファンを用いた場合には、空冷ファンの故障を検知する検出回路又は空冷ファンの故障時に急激な温度上昇を検出する温度センサーを設ける必要が生じ、さらには、空冷ファンの故障時に表示装置の動作を停止又は表示装置における消費電力を低減させる回路が必要である。従って、表示装置の製造コストが高騰してしまう。
【００１２】
さらに、空冷ファンを用いた場合には、表示装置の内外に空冷ファンによって塵埃を散布し易いと言う問題もある。
【００１３】
また別の従来の表示装置には、純水やエチレングリコール等の液体（冷媒）を循環させて冷却する液冷装置によって内部温度の上昇を抑制するようにしたものがある。
【００１４】
液冷装置によって内部温度の上昇を抑制する表示装置においては、液冷装置によって液体が循環されて筐体の内部に存在する空気が冷却される。
【００１５】
ところが、液冷装置によって内部温度の上昇を抑制する場合には、液冷装置が配置される分、表示装置の重量が大きくなり、また、表示装置の薄型化にも支障を来たしてしまう。また、液冷装置は高価であるため、表示装置の製造コストが高騰すると言う問題もある。さらには、冷媒の液漏れが万が一生じた場合の対策も不可欠である。
【００１６】
さらに別の従来の表示装置には、ヒートパイプを筐体の内部に配置して内部温度の上昇を抑制するようにしたものがある（例えば、特許文献１参照）。
【００１７】
ヒートパイプによって内部温度の上昇を抑制する表示装置においては、表示部や回路基板等の発熱量が多く高温になり易い部分において発生した熱がヒートパイプによって伝導（運搬）され、ヒートパイプの低温側の端部に接続された放熱手段から熱が放出される。
【００１８】
【特許文献１】特開２００６−２７８０４１号公報
【発明の開示】
【発明が解決しようとする課題】
【００１９】
上記したように、ヒートパイプは熱を伝導するための手段であるため、低温側の端部に放熱手段を接続又は近接して位置させる必要がある。
【００２０】
ところが、特許文献１に記載された表示装置にあっては、放熱手段としてヒートパイプに接続され筐体の内部に配置された放熱板を用いており、放熱板を設けた分、部品点数が増加すると共に製造コストが高くなってしまう。また、放熱板が筐体の内部に配置されるため、その分、筐体の大きさが大きくなり、表示装置の大型化を来たしてしまう。
【００２１】
さらに、放熱効率の向上を図るために放熱板にフィンを接続しているため、一層の部品点数の増加や大型化を来たすと言う問題がある。
【００２２】
そこで、本発明表示装置は、上記した問題点を克服し、部品点数の増加及び大型化を来たすことなく放熱性の向上を図ることを課題とする。
【課題を解決するための手段】
【００２３】
表示装置は、上記した課題を解決するために、正面側に開口が形成された筐体と前記筐体に前記開口を閉塞するように取り付けられ画像を表示する表示部とを有するディスプレイ本体と、放熱性を有する材料によって形成され前記ディスプレイ本体を保持する保持体と、熱伝導性を有する材料によって形成され前記保持体に前記ディスプレイ本体を締結する締結部材と、前記筐体の内部において前記表示部の背面側に配置され前記ディスプレイ本体の内部で発生する熱を前記締結部材及び前記保持体へ向けて伝導するヒートパイプとを備え、前記ディスプレイ本体の内部で発生する熱を前記保持体から放出するようにしたものである。
【００２４】
従って、表示装置にあっては、筐体の内部で発生する熱がヒートパイプによって締結部材から保持体に伝導され保持体から放出される。
【００２５】
上記した表示装置においては、前記ディスプレイ本体に熱伝導性を有し前記表示部の背面側に配置されて前記表示部に結合された背面フレームが設けられ、前記背面フレームに前記ヒートパイプの少なくとも一部が接触又は近接して配置され、前記締結部材が前記保持体と前記背面フレームに結合されて前記保持体に前記ディスプレイ本体が締結されることが望ましい。
【００２６】
背面フレームにヒートパイプの少なくとも一部が接触又は近接して配置され、締結部材が保持体と背面フレームに結合されて保持体にディスプレイ本体が締結されることにより、ディスプレイ本体を保持体に連結するために必要とされる背面フレームによってヒートパイプからの保持体への熱の伝導が行われる。
【００２７】
上記した表示装置においては、前記保持体として壁面に固定されて前記ディスプレイ本体の背面側に配置され前記ディスプレイ本体を壁面に沿って配置するための壁掛け金具を用いることが望ましい。
【００２８】
保持体として壁面に固定されてディスプレイ本体の背面側に配置されディスプレイ本体を壁面に沿って配置するための壁掛け金具を用いることにより、保持体を表示装置の視認性やデザイン性を損なうことがないディスプレイ本体の外形状の範囲まで大型化が可能である。
【００２９】
上記した表示装置においては、前記保持体の一部と前記壁面の間に隙間が形成されることが望ましい。
【００３０】
保持体の一部と壁面の間に隙間が形成されることにより、隙間により良好な通気性が確保される。
【００３１】
上記した表示装置においては、前記保持体が複数の保持部材によって構成されることが望ましい。
【００３２】
保持体が複数の保持部材によって構成されることにより、複数の保持部材から放熱が行われる。
【００３３】
上記した表示装置においては、前記ヒートパイプの一部を前記表示部の上端部に沿って配置することが望ましい。
【００３４】
ヒートパイプの一部を表示部の上端部に沿って配置することにより、筐体の内部において熱が移動し易い部分にヒートパイプの一部が配置される。
【００３５】
上記した表示装置においては、前記ヒートパイプの一部を前記表示部の上側の角部に配置することが望ましい。
【００３６】
ヒートパイプの一部を表示部の上側の角部に配置することにより、筐体の内部において熱が移動し易い部分にヒートパイプの一部が配置される。
【発明の効果】
【００３７】
本発明表示装置は、正面側に開口が形成された筐体と前記筐体に前記開口を閉塞するように取り付けられ画像を表示する表示部とを有するディスプレイ本体と、放熱性を有する材料によって形成され前記ディスプレイ本体を保持する保持体と、熱伝導性を有する材料によって形成され前記保持体に前記ディスプレイ本体を締結する締結部材と、前記筐体の内部において前記表示部の背面側に配置され前記ディスプレイ本体の内部で発生する熱を前記締結部材及び前記保持体へ向けて伝導するヒートパイプとを備え、前記ディスプレイ本体の内部で発生する熱を前記保持体から放出するようにしている。
【００３８】
従って、ディスプレイ本体の内部で発生する熱を外部へ放出するための専用の部品を設けることなく放熱を行うことができ、部品点数の増加及び大型化を来たすことなく放熱性の向上を図ることができる。
【００３９】
請求項２に記載した発明にあっては、前記ディスプレイ本体に熱伝導性を有し前記表示部の背面側に配置されて前記表示部に結合された背面フレームが設けられ、前記背面フレームに前記ヒートパイプの少なくとも一部が接触又は近接して配置され、前記締結部材が前記保持体と前記背面フレームに結合されて前記保持体に前記ディスプレイ本体が締結されている。
【００４０】
従って、ディスプレイ本体を保持体に連結するために必要とされる背面フレームを用いてヒートパイプからの保持体への熱の伝導が行われるため、ヒートパイプからの保持体への熱の伝導を行うための専用の部材を必要とせず、部品点数の増加及び大型化を来たすことなく放熱性の向上を図ることができる。
【００４１】
請求項３に記載した発明にあっては、前記保持体として壁面に固定されて前記ディスプレイ本体の背面側に配置され前記ディスプレイ本体を壁面に沿って配置するための壁掛け金具を用いている。
【００４２】
従って、保持体として壁掛け金具を用いることにより、放熱面積を大きくすることができ、放熱性の一層の向上を図ることができる。
【００４３】
請求項４に記載した発明にあっては、前記保持体の一部と前記壁面の間に隙間が形成されている。
【００４４】
従って、良好な通気性が確保され、保持体の良好な放熱性を確保することができる。
【００４５】
請求項５に記載した発明にあっては、前記保持体が複数の保持部材によって構成されている。
【００４６】
従って、放熱面積を特に大きくすることができ、放熱性の一層の向上を図ることができる。
【００４７】
請求項６に記載した発明にあっては、前記ヒートパイプの一部を前記表示部の上端部に沿って配置している。
【００４８】
従って、発熱体において発生した熱は筐体の内部における上端部に移動し易いため、放熱効率の向上を図ることができる。
【００４９】
請求項７に記載した発明にあっては、前記ヒートパイプの一部を前記表示部の上側の角部に配置している。
【００５０】
従って、発熱体において発生した熱は筐体の内部における上端部のうち、特に、角部に滞留し易いため、一層の放熱効率の向上を図ることができる。
【発明を実施するための最良の形態】
【００５１】
以下に、本発明を実施するための最良の形態を添付図面に従って説明する。
【００５２】
以下に示した最良の形態は、本発明表示装置をテレビジョン受像器に適用したものである。尚、本発明の適用範囲はテレビジョン受像器に限られることはなく、例えば、パーソナルコンピューターや電子式写真立て等の画像を表示するディスプレイを有する各種の表示装置に広く適用することができる。
【００５３】
＜第１の実施の形態＞
［表示装置の構成］
以下に、本発明表示装置の第１の実施の形態について説明する（図１乃至図４参照）。
【００５４】
第１の実施の形態に係る表示装置１はディスプレイ本体２とディスプレイ本体２を保持する保持体３とを有している（図１及び図２参照）。
【００５５】
ディスプレイ本体２は筐体４と筐体４に取り付けられ画像を表示する表示部５とを有している。
【００５６】
筐体４は前面部に開口４ａを有し前後に扁平な箱状に形成されている。筐体４の背面部６には前後に貫通された挿通孔６ａ、６ａ、・・・が上下左右に離隔して形成されている。背面部６はバックシャーシとして構成され、例えば、放熱性及び熱伝導性の高い金属材料によって形成されている。
【００５７】
表示部５は筐体４の前側の開口４ａを閉塞するようにして筐体４の内部に配置されている。表示部５は画像が表示される液晶パネル等のパネルが、例えば、金属材料によって形成され前方に開口された箱状の保持シャーシによって保持されている。
【００５８】
筐体４の内部には金属材料等の熱伝導性の高い材料によって形成された背面フレーム７、７が左右に離隔して配置されている。背面フレーム７、７はディスプレイ本体２を保持体３に連結するために必要とされる部材である。背面フレーム７は上下に延びる締結部８と締結部８の上下両端部にそれぞれ連続する取付部９、９とが一体に形成されて成る。
【００５９】
締結部８、８にはそれぞれ上下に離隔して、例えば、二つずつの螺孔８ａ、８ａ、・・・が形成されている。締結部８、８は筐体４の背面部６の内面に沿って配置されている。
【００６０】
取付部９、９、・・・の前端部には表示部５の上下両端部が取り付けられている。
【００６１】
筐体４の内部にはディスプレイ２に対して背面から光を照射する図示しないバックライトが配置されている。バックライトとしては、例えば、冷陰極蛍光ランプ（ＣＣＦＬ：Cold Cathode Fluorescent Lamp）や発光ダイオード（ＬＥＤ：Light Emitting Diode）等が用いられている。
【００６２】
筐体４の内部には複数の回路基板が配置されている。回路基板としては、例えば、表示部５を動作させるための画像制御用の回路基板、筐体４の内部に配置された各部に電源の供給等を行うための回路基板、バックライトの点消灯制御を行うための回路基板等の各種の回路基板が配置されている。
【００６３】
上記したバックライトや回路基板は駆動時に発熱する発熱体となるものがあり、発熱体において生じた熱により筐体４の内部空間４ｂの温度が上昇する。
【００６４】
筐体４の内部にはヒートパイプ１０、１０が配置されている。ヒートパイプ１０、１０はそれぞれ左右に延びる水平部１０ａ、１０ａと水平部１０ａ、１０ａの外側の端部から内側に折り返された折返し部１０ｂ、１０ｂと折返し部１０ｂ、１０ｂから略後方へ突出された中間部１０ｃ、１０ｃと中間部１０ｃ、１０ｃに連続し上下に延びる垂直部１０ｄ、１０ｄとから成る。
【００６５】
ヒートパイプ１０、１０は、水平部１０ａ、１０ａと中間部１０ｂ、１０ｂが表示部５の背面における上端部、即ち、表示部５の保持シャーシの上端部に取り付けられ、垂直部１０ｄ、１０ｄがそれぞれ背面フレーム７、７における締結部８、８の前面に、例えば、ろう付け（半田付け）等によって取り付けられている。また、ヒートパイプ１０、１０の水平部１０ａ、１０ａの外側の端部と中間部１０ｂ、１０ｂの外側の端部は表示部５の背面における上端部の角部に位置されている。尚、垂直部１０ｄ、１０ｄはそれぞれ背面フレーム７、７における締結部８、８の前面に近接して位置されていてもよい。
【００６６】
ヒートパイプ１０、１０は低音側の端部となる垂直部１０ｄ、１０ｄの下端部が、少なくともそれぞれ締結部８、８に形成された下側の螺孔８ａ、８ａに対応する位置に存在するように配置されている。
【００６７】
保持体３はディスプレイ本体２を壁面１００に沿って配置する壁掛け金具として設けられている。保持体３は金属材料等の放熱性の高い材料によって形成されている。
【００６８】
保持体３は、例えば、左右に延び上下に離隔して設けられたベース部１１、１１と上下に延び左右に離隔して設けられた取付面部１２、１２とから成る（図３参照）。取付面部１２、１２はベース部１１、１１の前面に取り付けられ、それぞれ上下に離隔した位置に取付孔１２ａ、１２ａ、・・・を有している。
【００６９】
保持体３はベース部１１、１１が、例えば、ネジ止め等によって壁面１００に固定される。保持体３は取付面部１２、１２がベース部１１、１１の前面に取り付けられているため、保持体３が壁面１００に固定された状態において、取付面部１２、１２と壁面１００の間に所定の隙間が形成される。
【００７０】
尚、壁掛け金具として設けられる保持体３は金属材料等の放熱性の高い材料によって形成されていれば種々の形状に構成されていてもよく、例えば、図４に示すように、枠状のベース部１１とベース部１１の前面に取り付けられた取付面部１２、１２とから成る構成であってもよい。
【００７１】
ディスプレイ本体２は保持体３と締結部材１３、１３、・・・によって締結され、保持体３に保持される（図１及び図２参照）。締結部材１３、１３、・・・としては、例えば、ネジ部材が用いられる。尚、締結部材１３、１３、・・・として、例えば、ネジ部材に代えて壁掛け用のプーリー等が用いられていてもよい。
【００７２】
締結部材１３、１３、・・・は金属材料等の熱伝導性の高い材料によって形成されている。
【００７３】
締結部材１３、１３、・・・は、それぞれ保持体３の取付面部１２、１２、・・・に形成された取付孔１２ａ、１２ａ、・・・と筐体４の背面部６に形成された挿通孔６ａ、６ａ、・・・に順に挿通され、背面フレーム７、７の締結部８、８に形成された螺孔８ａ、８ａ、・・・に螺合される。締結部材１３、１３、・・・が螺孔８ａ、８ａ、・・・に螺合されることにより、保持体３にディスプレイ本体２が締結されてディスプレイ本体２が保持体３に保持される。
【００７４】
保持体３にディスプレイ本体２が締結された状態においては、熱伝導性の高い材料によって形成された背面フレーム７、７と放熱性の高い材料によって形成された保持体３とが熱伝導性の高い材料によって形成された締結部材１３、１３、・・・によって連結される。
【００７５】
［放熱動作］
表示部５において画像が表示されているディスプレイ本体２の駆動時には、バックライトや回路基板等の発熱体において熱が生じる。発熱体において熱が発生すると筐体４の内部空間４ｂの温度が上昇し、筐体４の内部における上端部や上側の角部に熱が移動し易く、特に、これらの上端部や上側の角部の温度が上昇し易い。
【００７６】
ディスプレイ本体２の駆動時に発熱体において生じた熱は、ヒートパイプ１０、１０によって伝導され締結部８、８及び締結部材１３、１３、・・・を介して保持体３に移動され、保持体３から外部へ放出される。
【００７７】
このとき、上記したように、発熱体において発生した熱は筐体４の内部における上端部に移動し易いため、ヒートパイプ１０においては水平部１０ａ、１０ａ側から低温側の端部となる垂直部１０ｄ、１０ｄの下端部へ向けて熱が伝導される。
【００７８】
以上に記載した通り、表示装置１にあっては、筐体４の内部において表示部５の背面側に配置されディスプレイ本体２の内部で発生する熱を締結部材１３、１３、・・・及び保持体３へ向けて伝導するヒートパイプ１０、１０を設け、保持体３から熱を外部へ放出するようにしている。
【００７９】
従って、ディスプレイ本体２の内部で発生する熱を外部へ放出するための専用の部品を設けることなく放熱を行うことができ、部品点数の増加及び大型化を来たすことなく放熱性の向上を図ることができる。
【００８０】
このように放熱性の向上を図ることができるため、ディスプレイ本体２の内部温度の上昇を抑制し、回路基板の電子部品の動作不良や画質の低下を防止することができる。
【００８１】
また、表示装置１にあっては、ディスプレイ本体２の内部に設けられた背面フレーム７、７にそれぞれヒートパイプ１０、１０の一部を接触又は近接して位置させ、締結部材１３、１３、・・・が保持体３と背面フレーム７、７に結合されて保持体３にディスプレイ本体２が締結されるようにしている。
【００８２】
従って、ディスプレイ本体２を保持体３に連結するために必要とされる部材を用いてヒートパイプ１０、１０からの保持体３への熱の伝導が行われるため、ヒートパイプ１０、１０からの保持体３への熱の伝導を行うための専用の部材を必要とせず、部品点数の増加及び大型化を来たすことなく放熱性の向上を図ることができる。
【００８３】
さらに、表示装置１にあっては、保持体３としてディスプレイ本体２の背面側に配置されディスプレイ本体２を壁面１００に沿って配置するための壁掛け金具が用いられている。壁掛け金具はディスプレイ本体２の背面側に配置されるため、表示装置１の視認性やデザイン性を損なうことがないディスプレイ本体２の外形状の範囲まで大型化が可能である。
【００８４】
従って、保持体３として壁掛け金具を用いることにより、放熱面積を大きくすることができ、放熱性の一層の向上を図ることができる。
【００８５】
尚、保持体３が壁面１００に固定された状態においては、取付面部１２、１２と壁面１００の間に所定の隙間が形成されており、良好な通気性が確保され、保持体３の良好な放熱性を確保することができる。
【００８６】
さらにまた、発熱体において発生した熱は筐体４の内部における上端部に移動し易いため、上記したように、ヒートパイプ１０、１０の水平部１０ａ、１０ａを表示部５の上端部に沿って配置することにより、放熱効率の向上を図ることができる。
【００８７】
加えて、発熱体において発生した熱は筐体４の内部における上端部のうち、特に、角部に滞留し易いため、上記したように、ヒートパイプ１０、１０の一部を表示部５の上端部における角部に配置することにより、一層の放熱効率の向上を図ることができる。
【００８８】
尚、表示装置１において、ヒートパイプ１０、１０に締結部材１３、１３、・・・が挿通される部材挿通孔を形成し、ヒートパイプ１０、１０を締結部材１３、１３、・・・によってディスプレイ本体２の内部において固定することも可能である。
【００８９】
＜第２の実施の形態＞
次に、本発明表示装置の第２の実施の形態について説明する（図５及び図６参照）。
【００９０】
尚、以下に示す第２の実施の形態に係る表示装置１Ａは、上記した表示装置１と比較して、背面フレームの構造が異なること及びヒートパイプの配置位置が異なることのみが相違するため、表示装置１Ａについては表示装置１と比較して異なる部分についてのみ詳細に説明をする。従って、その他の部分については表示装置１における同様の部分に付した符号と同じ符号を付して説明は省略する。
【００９１】
表示装置１Ａはディスプレイ本体２Ａとディスプレイ本体２Ａを保持する保持体３とを有している。
【００９２】
ディスプレイ本体２Ａは筐体４と筐体４に取り付けられ画像を表示する表示部５とを有している。
【００９３】
筐体４の内部には金属材料等の熱伝導性の高い材料によって形成された背面フレーム７Ａ、７Ａが左右に離隔して配置されている。背面フレーム７Ａ、７Ａはディスプレイ本体２Ａを保持体３に連結するために必要とされる部材である。背面フレーム７Ａは上下に延びる平板状に形成された取付部８Ａ、８Ａと取付部８Ａ、８Ａから後方へ突出された締結部９Ａ、９Ａ、・・・とが一体に形成されて成る。締結部９Ａ、９Ａ、・・・は上下に離隔して設けられ、例えば、角筒状に形成されている。
【００９４】
締結部９Ａ、９Ａ、・・・にはそれぞれ後方に開口された螺穴９ａ、９ａ、・・・が形成されている。
【００９５】
取付部８Ａ、８Ａには表示部５の背面が接触された状態で取り付けられている。
【００９６】
筐体４の内部にはヒートパイプ１０、１０が配置されている。ヒートパイプ１０、１０は、水平部１０ａ、１０ａと中間部１０ｂ、１０ｂが表示部５の背面における上端部、即ち、表示部５の保持シャーシの上端部に取り付けられ、垂直部１０ｄ、１０ｄがそれぞれ背面フレーム７Ａ、７Ａにおける締結部９Ａ、９Ａ、・・・の側面に、例えば、ろう付け（半田付け）等によって取り付けられている。また、ヒートパイプ１０、１０の水平部１０ａ、１０ａの外側の端部と中間部１０ｂ、１０ｂの外側の端部は表示部５の背面における上端部の角部に位置されている。尚、垂直部１０ｄ、１０ｄはそれぞれ背面フレーム７Ａ、７Ａにおける締結部９Ａ、９Ａ、・・・の側面に近接して位置されていてもよい。
【００９７】
また、垂直部１０ｄ、１０ｄは筐体４の背面部６の内面にも接触した状態とされている。
【００９８】
尚、垂直部１０ｄ、１０ｄは背面フレーム７Ａ、７Ａとの接触面積を大きくするために、それぞれ取付部８Ａ、８Ａに接触されていてもよい。垂直部１０ｄ、１０ｄがそれぞれ取付部８Ａ、８Ａに接触されることにより、ヒートパイプ１０、１０からの背面フレーム７Ａ、７Ａに対する熱の伝導効率を向上させることが可能である。
【００９９】
ディスプレイ本体２Ａは保持体３と締結部材１３、１３、・・・によって締結され、保持体３に保持される。
【０１００】
締結部材１３、１３、・・・は、それぞれ保持体３の取付面部１２、１２、・・・に形成された取付孔１２ａ、１２ａ、・・・と筐体４の背面部６に形成された挿通孔６ａ、６ａ、・・・に順に挿通され、背面フレーム７Ａ、７Ａの締結部９Ａ、９Ａ、・・・に形成された上側の二つずつの螺穴９ａ、９ａ、・・・に螺合される。締結部材１３、１３、・・・が螺穴９ａ、９ａ、・・・に螺合されることにより、保持体３にディスプレイ本体２Ａが締結されてディスプレイ本体２Ａが保持体３に保持される。
【０１０１】
保持体３にディスプレイ本体２Ａが締結された状態においては、熱伝導性の高い材料によって形成された背面フレーム７Ａ、７Ａと放熱性の高い材料によって形成された保持体３とが熱伝導性の高い材料によって形成された締結部材１３、１３、・・・によって連結される。
【０１０２】
［放熱動作］
表示部５において画像が表示されているディスプレイ本体２Ａの駆動時には、バックライトや回路基板等の発熱体において熱が生じる。発熱体において熱が発生すると筐体４の内部空間４ｂの温度が上昇し、筐体４の内部における上端部や上側の角部に熱が移動し易く、特に、これらの上端部や上側の角部の温度が上昇し易い。
【０１０３】
ディスプレイ本体２Ａの駆動時に発熱体において生じた熱は、ヒートパイプ１０、１０によって伝導され締結部９Ａ、９Ａ、・・・及び締結部材１３、１３、・・・を介して保持体３に移動され、保持体３から外部へ放出される。
【０１０４】
このとき、上記したように、発熱体において発生した熱は筐体４の内部における上端部に移動し易いため、ヒートパイプ１０においては水平部１０ａ、１０ａ側から低温側の端部となる垂直部１０ｄ、１０ｄの下端部へ向けて熱が伝導される。
【０１０５】
尚、表示装置１Ａにあっては、ヒートパイプ１０、１０の垂直部１０ｄ、１０ｄが筐体４の放熱性及び熱伝導性の高い材料によって形成された背面部６の内面にも接触した状態とされている。
【０１０６】
従って、発熱体において生じた熱が背面部６から外部へ放出されると共に背面部６から締結部材１３、１３、・・・を伝導されて保持体３から外部へ放出される。
【０１０７】
＜変形例＞
次いで、本発明表示装置の第２の実施の形態における変形例について説明する（図７乃至図９参照）。
【０１０８】
先ず、第２の実施の形態における第１の変形例について説明する（図７及び図８参照）。
【０１０９】
尚、以下に示す第２の実施の形態における第１の変形例に係る表示装置１Ｂは、上記した表示装置１Ａと比較して、保持体の構造が異なることのみが相違するため、表示装置１Ｂについては表示装置１Ａと比較して異なる部分についてのみ詳細に説明をする。従って、その他の部分については表示装置１Ａにおける同様の部分に付した符号と同じ符号を付して説明は省略する。
【０１１０】
表示装置１Ｂはディスプレイ本体２Ａとディスプレイ本体２Ａを保持する保持体３Ｂとを有している。
【０１１１】
保持体３Ｂは机やテーブル等の載置面２００に対してディスプレイ本体２を配置するスタンドとして設けられている。保持体３Ｂは金属材料等の放熱性の高い材料によって形成されている。
【０１１２】
保持体３Ｂは、例えば、載置面２００上に載置される載置板部１４と載置板部１４から上方へ突出された柱部１５と柱部１５上に設けられたスタンド部１６とから成る。スタンド部１６は柱部１５に連続した水平な基面部１７と基面部１７の後端部から上方へ突出された取付面部１８とから成る。取付面部１８には前後に貫通された取付孔１８ａ、１８ａ、・・・が上下左右に離隔して形成されている。
【０１１３】
ディスプレイ本体２Ａは保持体３Ｂと締結部材１３、１３、・・・によって締結され、保持体３Ｂに保持される。
【０１１４】
締結部材１３、１３、・・・は、それぞれ保持体３Ｂの取付面部１８に形成された取付孔１８ａ、１８ａ、・・・と筐体４の背面部６に形成された挿通孔６ａ、６ａ、・・・に順に挿通され、背面フレーム７Ａ、７Ａの締結部９Ａ、９Ａ、・・・に形成された下側の二つずつの螺穴９ａ、９ａ、・・・に螺合される。締結部材１３、１３、・・・が螺穴９ａ、９ａ、・・・に螺合されることにより、保持体３Ｂにディスプレイ本体２Ａが締結されてディスプレイ本体２Ａが保持体３Ｂに保持される。
【０１１５】
保持体３Ｂにディスプレイ本体２Ａが締結された状態においては、熱伝導性の高い材料によって形成された背面フレーム７Ａ、７Ａと放熱性の高い材料によって形成された保持体３Ｂとが熱伝導性の高い材料によって形成された締結部材１３、１３、・・・によって連結される。
【０１１６】
表示部５において画像が表示されているディスプレイ本体２Ａの駆動時には、バックライトや回路基板等の発熱体において熱が生じる。発熱体において熱が発生すると筐体４の内部空間４ｂの温度が上昇し、筐体４の内部における上端部や上側の角部に熱が移動し易く、特に、これらの上端部や上側の角部の温度が上昇し易い。
【０１１７】
ディスプレイ本体２Ａの駆動時に発熱体において生じた熱は、ヒートパイプ１０、１０によって伝導され締結部９Ａ、９Ａ、・・・及び締結部材１３、１３、・・・を介して保持体３Ｂに移動され、保持体３Ｂから外部へ放出される。
【０１１８】
このとき、上記したように、発熱体において発生した熱は筐体４の内部における上端部に移動し易いため、ヒートパイプ１０においては水平部１０ａ、１０ａ側から低温側の端部となる垂直部１０ｄ、１０ｄの下端部へ向けて熱が伝導される。
【０１１９】
尚、表示装置１Ｂにあっては、ヒートパイプ１０、１０の垂直部１０ｄ、１０ｄが筐体４の放熱性及び熱伝導性の高い材料によって形成された背面部６の内面にも接触した状態とされている。
【０１２０】
従って、発熱体において生じた熱が背面部６から外部へ放出されると共に背面部６から締結部材１３、１３、・・・を伝導されて保持体３Ｂから外部へ放出される。
【０１２１】
次に、第２の実施の形態における第２の変形例について説明する（図９参照）。
【０１２２】
尚、以下に示す第２の実施の形態における第２の変形例に係る表示装置１Ｃは、上記した表示装置１Ａと比較して、保持体の構造が異なることのみが相違するため、表示装置１Ｃについては表示装置１Ａと比較して異なる部分についてのみ詳細に説明をする。従って、その他の部分については表示装置１Ａにおける同様の部分に付した符号と同じ符号を付して説明は省略する。
【０１２３】
表示装置１Ｃはディスプレイ本体２Ａとディスプレイ本体２Ａを保持する保持体３Ｃとを有している。
【０１２４】
保持体３Ｃはディスプレイ本体２を壁面１００に沿って配置する壁掛け金具として設けられている。保持体３Ｃは金属材料等の放熱性の高い材料によって形成され第１の保持部材１９と第２の保持部材２０によって構成されている。
【０１２５】
第１の保持部材１９はディスプレイ本体２Ａと第２の保持部材２０を連結する機能を有し、第２の保持部材２０は壁面１００に固定される。
【０１２６】
ディスプレイ本体２Ａは保持体３Ｃの第１の保持部材１９と締結部材１３、１３、・・・によって締結され、保持体３Ｃに保持される。第１の保持部材１９と第２の保持部材２０は締結部材１４、１４、・・・によって締結される。締結部材１４、１４、・・・は締結部材１３、１３、・・・と同様に金属材料等の熱伝導性の高い材料によって形成されている。
【０１２７】
保持体３Ｃにディスプレイ本体２Ａが締結された状態においては、熱伝導性の高い材料によって形成された背面フレーム７Ａ、７Ａと放熱性の高い材料によって形成された保持体３Ｃとが熱伝導性の高い材料によって形成された締結部材１３、１３、・・・及び締結部材１４、１４、・・・によって連結される。
【０１２８】
表示部５において画像が表示されているディスプレイ本体２Ａの駆動時には、バックライトや回路基板等の発熱体において熱が生じる。発熱体において熱が発生すると筐体４の内部空間４ｂの温度が上昇し、筐体４の内部における上端部や上側の角部に熱が移動し易く、特に、これらの上端部や上側の角部の温度が上昇し易い。
【０１２９】
ディスプレイ本体２Ａの駆動時に発熱体において生じた熱は、ヒートパイプ１０、１０によって伝導され締結部９Ａ、９Ａ、・・・及び締結部材１３、１３、・・・を介して保持体３Ｂに移動され、保持体３Ｂから外部へ放出される。このとき一部の熱は第１の保持部材１９から締結部材１４、１４、・・・を介して第２の保持部材２０に伝導され、第１の保持部材１９に加えて第２の保持部材２０からも熱が外部へ放出される。
【０１３０】
このとき、上記したように、発熱体において発生した熱は筐体４の内部における上端部に移動し易いため、ヒートパイプ１０においては水平部１０ａ、１０ａ側から低温側の端部となる垂直部１０ｄ、１０ｄの下端部へ向けて熱が伝導される。
【０１３１】
尚、表示装置１Ｃにあっては、ヒートパイプ１０、１０の垂直部１０ｄ、１０ｄが筐体４の放熱性及び熱伝導性の高い材料によって形成された背面部６の内面にも接触した状態とされている。
【０１３２】
従って、発熱体において生じた熱が背面部６から外部へ放出されると共に背面部６から締結部材１３、１３、・・・を伝導されて保持体３Ｃから外部へ放出される。
【０１３３】
尚、上記には、表示装置１Ｃに設けられ第１の保持部材１９と第２の保持部材２０によって構成された保持体３Ｃがディスプレイ本体２Ａを保持する例を示したが、保持体３Ｃによって第１の実施の形態における表示装置１Ａに設けられたディスプレイ本体２が保持されてもよい。
【０１３４】
また、上記には、第１の保持部材１９と第２の保持部材２０によって構成された保持体３Ｃを例として示したが、保持体３Ｃを構成する保持部材は二つの部材に限られることはなく、三つ以上の保持部材によって構成されていてもよい。
【０１３５】
以上に記載した通り、表示装置１Ａ、１Ｂ、１Ｃにあっては、筐体４の内部において表示部５の背面側に配置されディスプレイ本体２Ａの内部で発生する熱を締結部材１３、１３、・・・及び保持体３、３Ｂ、３Ｃへ向けて伝導するヒートパイプ１０、１０を設け、保持体３、３Ｂ、３Ｃから熱を外部へ放出するようにしている。
【０１３６】
従って、ディスプレイ本体２Ａの内部で発生する熱を外部へ放出するための専用の部品を設けることなく放熱を行うことができ、部品点数の増加及び大型化を来たすことなく放熱性の向上を図ることができる。
【０１３７】
このように放熱性の向上を図ることができるため、ディスプレイ本体２Ａの内部温度の上昇を抑制し、回路基板の電子部品の動作不良や画質の低下を防止することができる。
【０１３８】
また、表示装置１Ａ、１Ｂ、１Ｃにあっては、ディスプレイ本体２Ａの内部に設けられた背面フレーム７Ａ、７Ａにそれぞれヒートパイプ１０、１０の一部を接触又は近接して位置させ、締結部材１３、１３、・・・が保持体３、３Ｂ、３Ｃと背面フレーム７Ａ、７Ａに結合されて保持体３、３Ｂ、３Ｃにディスプレイ本体２Ａが締結されるようにしている。
【０１３９】
従って、ディスプレイ本体２Ａを保持体３、３Ｂ、３Ｃに連結するために必要とされる部材を用いてヒートパイプ１０、１０からの保持体３、３Ｂ、３Ｃへの熱の伝導が行われるため、ヒートパイプ１０、１０からの保持体３、３Ｂ、３Ｃへの熱の伝導を行うための専用の部材を必要とせず、部品点数の増加及び大型化を来たすことなく放熱性の向上を図ることができる。
【０１４０】
さらに、表示装置１Ａ、１Ｂ、１Ｃにあっては、保持体３、３Ｃとしてディスプレイ本体２Ａの背面側に配置されディスプレイ本体２Ａを壁面１００に取り付けるための壁掛け金具が用いられている。
【０１４１】
従って、保持体３、３Ｃとして壁掛け金具を用いることにより、放熱面積を大きくすることができ、放熱性の一層の向上を図ることができる。
【０１４２】
尚、保持体３Ｃにおいては、第１の保持部材１９と第２の保持部材２０によって構成されているため、放熱面積を特に大きくすることができ、放熱性の一層の向上を図ることができる。
【０１４３】
さらにまた、表示装置１Ａ、１Ｂ、１Ｃにあっては、発熱体において発生した熱が筐体４の内部における上端部に移動し易いため、上記したように、ヒートパイプ１０、１０の水平部１０ａ、１０ａを表示部５の上端部に沿って配置することにより、放熱効率の向上を図ることができる。
【０１４４】
加えて、表示装置１Ａ、１Ｂ、１Ｃにあっては、発熱体において発生した熱は筐体４の内部における上端部のうち、特に、角部に蓄積され易いため、上記したように、ヒートパイプ１０、１０の一部を表示部５の上端部における角部に配置することにより、一層の放熱効率の向上を図ることができる。
【０１４５】
尚、表示装置１Ａ、１Ｂ、１Ｃにおいて、ヒートパイプ１０、１０に締結部材１３、１３、・・・が挿通される部材挿通孔を形成し、ヒートパイプ１０、１０を締結部材１３、１３、・・・によってディスプレイ本体２Ａの内部において固定することも可能である。
【０１４６】
＜その他の構成＞
上記には、ディスプレイ本体２、２Ａが壁掛け金具として設けられた保持体３、３Ｃ又はスタンドとして設けられた保持体３Ｂに保持された表示装置１、１Ａ、１Ｂ、１Ｃの例を示したが、ディスプレイ本体２、２Ａは以下のような保持体３Ｄによって保持されて表示装置１Ｄが構成されるようにしてもよい（図１０参照）。
【０１４７】
保持体３Ｄはディスプレイ本体２、２Ａを保持し保持したディスプレイ本体２、２Ａを壁面１００に沿って配置する壁寄せ金具として設けられている。
【０１４８】
保持体３Ｄはラック３００の上端部に取り付けられており、ラック３００は基台３０１と基台３０１の後端部から上方へ突出された支え部３０２とを有している。ラック３００は支え部３０２が壁面１００に沿って配置される。
【０１４９】
保持体３Ｄは、例えば、左右に延びるベース部２１と上下に延び左右に離隔して設けられた取付面部２２、２２とから成る。取付面部２２、２２はベース部２１の前面に取り付けられ、それぞれ上下に離隔した位置に取付孔２２ａ、２２ａ、・・・を有している。
【０１５０】
ディスプレイ本体２、２Ａは保持体３Ｄと締結部材１３、１３、・・・によって締結され、保持体３Ｄに保持される。
【０１５１】
締結部材１３、１３、・・・は、それぞれ保持体３Ｄの取付面部２２、２２、・・・に形成された取付孔２２ａ、２２ａ、・・・と筐体４の背面部６に形成された挿通孔６ａ、６ａ、・・・に順に挿通され、背面フレーム７、７又は背面フレーム７Ａ、７Ａの締結部８、８又は締結部９Ａ、９Ａ、・・・に形成された螺孔８ａ、８ａ、・・・又は螺穴９ａ、９ａ、・・・に螺合される。締結部材１３、１３、・・・が螺孔８ａ、８ａ、・・・又は螺穴９ａ、９ａ、・・・に螺合されることにより、保持体３Ｄにディスプレイ本体２、２Ａが締結されてディスプレイ本体２、２Ａが保持体３Ｄに保持される。
【０１５２】
表示装置１Ｄにおいても、表示装置１、１Ａ、１Ｂ、１Ｃと同様に、ディスプレイ本体２、２Ａの内部で発生する熱を外部へ放出するための専用の部品を設けることなく放熱を行うことができ、部品点数の増加及び大型化を来たすことなく放熱性の向上を図ることができる。
【０１５３】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１５４】
【図１】図２乃至図１０と共に本発明の最良の形態を示すものであり、本図は、第１の実施の形態に係る表示装置を側方から見た状態で示す概略断面図である。
【図２】第１の実施の形態に係る表示装置を後方から見た状態で示す概略断面図である。
【図３】保持体の例を示すための第１の実施の形態に係る表示装置の斜視図である。
【図４】別の保持体の例を示すための第１の実施の形態に係る表示装置の斜視図である。
【図５】第２の実施の形態に係る表示装置を側方から見た状態で示す概略断面図である。
【図６】第２の実施の形態に係る表示装置を後方から見た状態で示す概略断面図である。
【図７】第２の実施の形態の第１の変形例に係る表示装置を側方から見た状態で示す概略断面図である。
【図８】第２の実施の形態の第１の変形例に係る表示装置を後方から見た状態で示す概略断面図である。
【図９】第２の実施の形態の第２の変形例に係る表示装置を側方から見た状態で示す概略断面図である。
【図１０】保持体が壁寄せ金具である場合の表示装置を示す概略斜視図である。
【符号の説明】
【０１５５】
１…表示装置、２…ディスプレイ本体、３…保持体、４…筐体、５…表示部、７…背面フレーム、１０…ヒートシンク、１３…締結部材、１００…壁面、１Ａ…表示装置、２Ａ…ディスプレイ本体、７Ａ…背面フレーム、１Ｂ…表示装置、３Ｂ…保持体、１Ｃ…表示装置、３Ｃ…保持体、１９…第１の保持部材、２０…第２の保持部材、１Ｄ…表示部材、３Ｄ…保持体
【図１】
2012129739.tif 000003
【図２】
2012129739.tif 000004
【図３】
2012129739.tif 000005
【図４】
2012129739.tif 000006
【図５】
2012129739.tif 000007
【図６】
2012129739.tif 000008
【図７】
2012129739.tif 000009
【図８】
2012129739.tif 000010
【図９】
2012129739.tif 000011
【図１０】
2012129739.tif 000012